(57)【要約】【課題】  底蓋が開放状態となっても外筒から脱落することがない、外筒と内筒で構成される密閉容器を提供する。【課題の解決手段】  密閉容器１の外筒２は、底面を肉薄部４を介して開放可能に設けた底蓋５で閉塞し、内周面下部には環状突部７を設け、外周面上端には雄ねじ部８を設け、その下方に係止つば部９を設けてなり、内筒３は、外径小径部１１を設け、開放下端面は傾斜して、その縁部を押圧部１２となし、上端面は外筒２の雄ねじ部８に螺合する雌ねじ部１４を設けた蓋体１５で閉塞し、蓋体１５の下端縁には規制環１７を切り離し可能に設けてなり、雄ねじ部８に雌ねじ部１４を螺合して蓋体１５を締め付け方向に回転し、内筒３の外径小径部１１より上方の部分が、外筒２の環状突部７に緊密に接合すると密閉状態になり、さらに蓋体１５を同方向に回転すると、肉薄部４が押圧部１２に押圧されて破断され、その一部が残存した状態で底蓋５が開放状態となる。【選択図】    図２
2006069636.tif 000002
【特許請求の範囲】
【請求項１】
外筒と内筒で構成される密閉容器であって、外筒は、底面を環状の肉薄部を介して開放可能に設けた底蓋で閉塞し、内周面下部には内径を小径化する内径小径部を設け、外周面上部には雄ねじ部を設けるとともに、外周面の雄ねじ部より下方に係止つば部を設けてなる一方、内筒は、前記外筒内に進退可能で、下部には外径のみを小径化した外径小径部を設け、開放下端面は傾斜して、その縁部を刃状の押圧部となし、上端面は前記外筒の雄ねじ部に螺合する雌ねじ部を設けた蓋体で閉塞し、この蓋体の下端部には複数のブリッジを介して規制環を切り離し可能に設けてなり、前記外筒の雄ねじ部に前記蓋体の雌ねじ部を螺合して蓋体を締め付け方向に回転することにより前記内筒が同方向に回転しながら前記外筒内に進入し、前記内筒の外径小径部より上方の部分が前記外筒の内径小径部に緊密に接合すると、密閉状態になるとともに、前記係止つば部が前記規制環を係止して内筒の外筒に対する進入を阻止する一方、前記蓋体をさらに締め付け方向に回転すると前記規制環が切り離されて、内筒は回転しながらさらに外筒内に進入し、前記押圧部の当接部分で前記底蓋の肉薄部を部分的に押圧して破断し、破断部分が一定以上になると底蓋は開放状態となって、肉薄部の押圧力が付与されない部分は破断せずに残存するよう構成したことを特徴とする密閉容器。
【請求項２】
内筒の軸方向に最も短い部分に対応する押圧部に切り欠きを設けたことを特徴とする請求項１に記載の密閉容器。
【請求項３】
外筒の係止つば部には、ビン容器首部の雄ねじ部に螺合する雌ねじ部を垂下形成したことを特徴とする請求項１または請求項２に記載の密閉容器。
【発明の詳細な説明】
【技術分野】
【０００１】
本発明は、底蓋を設けた外筒と蓋体を設けた内筒からなる密閉容器に関し、特に水溶性の飲料用粉体、各種検体や試料等の小容量の物体を収容するのに適した密閉容器に関する。
【背景技術】
【０００２】
従来から、底蓋を設けた外筒と蓋体を設けた内筒からなる密閉容器は知られているが、底蓋を開放する内筒の下端縁は水平に設けられている。このため従来においては、内筒下端縁の押圧力が底蓋全周にほぼ均等にかかり、押圧力が一定以上になると、底蓋は外筒から完全に分離して脱落する。このように、底蓋が脱落すると、これを回収することが困難となる。そして、密閉容器をボトルキャップとして飲料用ボトル容器に適用する場合には、ボトル容器内に脱落した底蓋を取り出せないので、飲料と一緒に飲み込んでしまう危険性があった。これを避けるために、従来においては、底蓋が外筒から脱落しても回収できるように、底蓋と外筒を連結片で連結している。
【特許文献１】特開２００４−１０６８８８号公報
【発明の開示】
【発明が解決しようとする課題】
【０００３】
ところがこの従来技術によると、連結部材で底蓋と外筒を連結するために、構造が複雑となって、製造コストも増すという不都合があった。本発明は、この不都合を解消した密閉容器を提供することを目的とする。
【課題を解決するための手段】
【０００４】
上記目的を達成するために、本発明の請求項１に係る密閉容器は、外筒と内筒で構成される密閉容器であって、外筒は、底面を環状の肉薄部を介して開放可能に設けた底蓋で閉塞し、内周面下部には内径を小径化する内径小径部を設け、外周面上部には雄ねじ部を設けるとともに、外周面の雄ねじ部より下方に係止つば部を設けてなる一方、内筒は、前記外筒内に進退可能で、下部には外径のみを小径化した外径小径部を設け、開放下端面は傾斜して、その縁部を刃状の押圧部となし、上端面は前記外筒の雄ねじ部に螺合する雌ねじ部を設けた蓋体で閉塞し、この蓋体の下端部には複数のブリッジを介して規制環を切り離し可能に設けてなり、前記外筒の雄ねじ部に前記蓋体の雌ねじ部を螺合して蓋体を締め付け方向に回転することにより前記内筒が回転しながら前記外筒内に進入し、前記内筒の外径小径部より上方の部分が前記外筒の内径小径部に緊密に接合すると、密閉状態になるとともに、前記係止つば部が前記規制環を係止して内筒の外筒に対する進入を阻止する一方、前記蓋体をさらに締め付け方向に回転すると前記規制環が切り離されて、内筒は回転しながらさらに外筒内に進入し、その押圧部の当接部分で底蓋の肉薄部を部分的に押圧して破断し、破断部分が一定以上になると底蓋は開放状態となって、肉薄部における押圧部の押圧力が付与されない部分、すなわち肉薄部において押圧部の後端に対応して押圧力がかからない部分は、破断せずに残存するよう構成したものである。
【０００５】
同じく上記目的を達成するために、本発明の請求項２に係る密閉容器は、上記請求項１に係る密閉容器の構成において、内筒の軸方向に最も短い部分に対応する押圧部、換言すると押圧部の後端に、切り欠きを設けたものである。
【０００６】
同じく上記目的を達成するために、本発明の請求項３に係る密閉容器は、上記請求項１または請求項２に係る密閉容器の構成において、外筒の係止つば部には、ビン容器首部の雄ねじ部に螺合する雌ねじ部を垂下形成したものである。
【発明の効果】
【０００７】
本発明の請求項１に係る密閉容器によれば、内筒の開放下端面を傾斜面とし、その縁部を刃状の押圧部としたので、この押圧部が、蓋体の締め付け方向の回転にともなわれて回転しつつ、底蓋の肉薄部をその当接部分で部分的に押圧して徐々に破断するとともに、底蓋を傾斜に沿って押し開いていき、破断部分が一定以上になると、底蓋は押圧部の押圧力で完全に開く開放状態となり、押圧力がかからない押圧部の後端に対応する底蓋の肉薄部は破断されずに残るので、底蓋は外筒から脱落することがないという効果を奏する。
【０００８】
また、本発明の請求項２に係る密閉容器によれば、内筒の最も短い部分に対応する押圧部、すなわち押圧部の後端に、切り欠きを形成したので、底蓋の肉薄部に押圧力をかけない部分を確実に確保して、肉薄部の残存部形成をより確実に行うことができるという効果を奏する。
【０００９】
さらに、本発明の請求項３に係る密閉容器によれば、ビン容器首部の雄ねじ部に螺合可能な雌ねじ部を内筒の蓋体に設けたので、ビンのキャップに適用して好適であるという効果を奏する。
【発明を実施するための最良の形態】
【００１０】
以下、本発明の好適な実施形態を添付図面に基づいて説明する。ここにおいて、図１は内筒と外筒を分離した状態の斜視図、図２は内筒の雄ねじ部と外筒の雌ねじ部を螺合した非密閉状態を示す縦断面図、図３は同じく密閉状態を示す部分拡大縦断面図、図４は樹脂製ビン容器の首部雄ねじ部に外筒の雌ねじ部を螺合した密閉状態の密閉容器を示す正面図、図５は密閉状態の密閉容器を示す縦断面図、図６は内筒の蓋体を回転して規制環を切り離すとともに、底蓋の肉薄部を部分的に破断した状態を示す縦断面図、図７は底蓋の開放状態を示す縦断面図である。
【００１１】
図１及び図２に示すように、密閉容器１は、ともに合成樹脂製の外筒２と内筒３からなる。外筒２は、底面を環状の肉薄部４を介して開放可能に設けた底蓋５で閉塞し、内周面下部には内径を小径化する環状突部７とそれに続く小径部６を設け、この環状突部７が内径小径部を構成する。外筒２の外周面上部には雄ねじ部８を設けるとともに、外周面の雄ねじ部８より下方に係止つば部９を設け、この係止つば部９にはビン容器４１の首部４２の雄ねじ部４３（図４参照）に螺合する雌ねじ部１０を垂下形成している。
【００１２】
一方、内筒３の外径は、下部を除いて外筒２の環状突部７を除く内径よりも若干小径で、前記環状突部７部分の内径よりは若干大径とし、この環状突部７部分に緊密に接合するよう構成し、また、前記内筒３は前記外筒２内に進退可能である。この内筒３の下部には、外径のみを小径化した外径小径部１１を設け、開放下端面は傾斜して、その縁部は刃状に形成して押圧部１２としている。前記外径小径部１１の下端縁部である押圧部１２において一番高いところ、換言すると内筒３の軸方向の長さで一番短いところに対応する押圧部１２の後端に、切り欠き１３を設けている。
【００１３】
また、内筒３の上端面は、外筒２の雄ねじ部８に螺合する雌ねじ部１４を内周面に設けた蓋体１５で閉塞し、この蓋体１５の下端部には複数のブリッジ１６を介して規制環１７を切り離し可能に設けている。この規制環１７は、外筒２の雄ねじ部８に前記蓋体１５の雌ねじ部１４を螺合し、前記蓋体１５を締め付け方向に回転して、前記内筒３が回転しながら前記外筒２内に進入すると、これとともに回転移動して係止つば部９に係止し、前記内筒３の前記外筒２に対する進入を阻止する（図４、図５参照）。このとき、前記内筒３の外径小径部１１より上方の部分が、前記外筒２の環状突部７を乗り越えて小径部６に達し、前記環状突部７と緊密に接合して、密閉状態になる（図３、図５参照）。なお、前記蓋体１５をさらに回転するとブリッジ１６が破断して前記規制環１７が切り離され、前記内筒３の前記外筒２に対する進入を許容する。
【００１４】
続いて、上述のように構成した密閉容器１を、飲料ビン容器に収容したミネラルウォターにインスタントコーヒー粉末を溶解してコーヒーにする場合の使用方法について説明する。まず、図１状態にある外筒２内に、易水溶性のインスタントコーヒーの粉末ａを収容し、この外筒２に内筒３を挿入して、蓋体１５の雌ねじ部１４を外筒２の雄ねじ部８に螺合する（図２参照）。そして、前記蓋体１５を締め付け方向に回転すると、前記内筒３が回転しながら前記外筒２内にさらに進入し、前記内筒３の外径小径部１１より上方の部分が、外筒２の環状突縁７を乗り越えてこれと緊密に接合し、小径部６に達すると、密閉容器１内の粉末ａは外部と遮断され、密閉状態になる（図３参照）。
【００１５】
この密閉状態において、外筒２の係止つば部９に内筒３の規制環１７が係止された状態となり、前記内筒３の前記外筒２に対するさらなる進入は阻止される（図４、図５参照）。この状態で、粉末ａを収容した密閉容器１は保管され、商品として供給される。なお、粉末ａを、図１状態とは上下反転した内筒３内に収容し、外筒２をこの内筒３に被せるようにして、その雄ねじ部８を蓋体１５の雌ねじ部１４に螺合し、密閉状態にしてもよい。
【００１６】
この密閉状態にある密閉容器１を、ミネラルウォターを収容したボトル４１の本来のキャップ（図示せず）を外したうえ、その首部４２の雄ねじ部４３に、外筒２の雌ねじ部１０を螺合して、ボトル４１に装着する（図４，図５参照）。この状態で、蓋体１５を締め付け方向にさらに回転すると、ブリッジ１６が切断して規制環１７が切り離される。この切り離した規制環１７は、除去してもよいし、図示のように、そのまま放置しておいてもよい。蓋体１５の締め付け方向への回転を続行すると、内筒３は回転しながらさらに外筒２内に進入し、その押圧部１２の先端で底蓋５の肉薄部４を部分的に押圧して破断し、先端は破断した肉薄部分をさらに押圧する（図６参照）。
【００１７】
このようにして、蓋体１５の締め付け方向への回転にともなって、押圧部１２の先端から後端に向けて順次肉薄部４に当接する部分が、肉薄部４を押圧して徐々に破断部分を拡大していき、前記押圧部１２は先端からほぼ対称的に傾斜に沿って、底蓋５を押し開いていく。そして、破断部分が一定以上になると、底蓋５は前記押圧部１２により、図６上、下方に完全に押し開けられて、開放状態となる。この時、前記押圧部１２の切り欠き１３を設けた後端に対応して、押圧力が付与されていなかった肉薄部４の部分は、破断されずに残る（図７参照）。
【００１８】
そして、図７に示すように、底蓋５が開放されると、密閉容器１内に収容していた粉体ａは落下してミネラルウォターに溶解し、コーヒー飲料となる。このコーヒー飲料は、ボトル４１首部４２の雄ねじ部４３と外筒２の雌ねじ部１０との螺合をとくことにより、密閉容器１を外して、通常のボトル飲料と同様に飲むことができる。
【００１９】
なお、通常、押圧部１２の切り欠き１３を設けた部分の後端が肉薄部４に当接する前に、底蓋５は開放状態となるので、必ずしも切り欠き１３が存在しなくても、肉薄部４の全部が破断されることはほとんどないが、肉薄部４の一部を確実に残した状態で底蓋５を開放するためには、切り欠き１３が存在することが望ましい。また、上述の密閉容器１は、あらかじめ本来のキャップに換えて、ボトル４１に装着した状態で商品として供給することもできる。さらに、飲料用の粉末ａは、コーヒーに限らず、茶、ジュース等でもよい。
【００２０】
またさらに、本発明は、上述したボトル飲料用の粉体ａを収容するほか、２液混合用の一方の液体を収容するものでもよく、この場合には、もう一方の液体を収容したボトルに装着する。さらにまた、密閉状態での収容が必要な各種検体や、試料の収容容器に適用することもできる。この収容容器のように、単に密閉容器としての機能だけでよい場合には、外筒２の雌ねじ部１０は設ける必要がないものである。さらに加えて、内径小径部は、環状突部７で構成するほか、小径部６のような段差部で構成してもよい。
【００２１】
また、内筒３の規制環１７の内周面下端に環状突部を設ける一方、外筒２の係止つば部９近傍の外周面に、密閉状態において前記環状突部が係合する凹入部を設け、蓋体１５を締め付け方向のみならず、締め付け方向と反対の開放方向に回転した場合にも、ブリッジ１６が破断して前記規制環１７が切り離されるよう構成すると、底蓋５の開放の有無にかかわらず、密閉状態が解除されたことを視覚により容易に確認することができる。
【図面の簡単な説明】
【００２２】
【図１】内筒と外筒を分離した状態の斜視図。
【図２】内筒の雄ねじ部と外筒の雌ねじ部を螺合した非密閉状態を示す縦断面図。
【図３】密閉状態を示す部分拡大縦断面図。
【図４】樹脂製ビン容器の首部雄ねじ部に外筒の雌ねじ部を螺合した密閉状態の密閉容器を示す正面図。
【図５】密閉状態の密閉容器を示す縦断面図。
【図６】内筒の蓋体を回転して規制環を切り離すとともに、底蓋の肉薄部を部分的に破断した状態を示す縦断面図。
【図７】底蓋の開放状態を示す縦断面図。
【符号の説明】
【００２３】
１      密閉容器
２      外筒
３      内筒
４      肉薄部
５      底蓋
６      小径部
７      環状突部
８      雄ねじ部
９      係止つば部
１０      雌ねじ部
１１      外径小径部
１２      押圧部
１３      切り欠き
１４      雌ねじ部
１５      蓋体
１６      ブリッジ
１７      規制環
【図１】
2006069636.tif 000003
【図２】
2006069636.tif 000004
【図３】
2006069636.tif 000005
【図４】
2006069636.tif 000006
【図５】
2006069636.tif 000007
【図６】
2006069636.tif 000008
【図７】
2006069636.tif 000009